(57)【要約】【課題】ハイブリッドディスクの容量を効率よく使える光ディスク装置、光ディスク記録方法、及び、プログラムを提供する。【解決手段】ＢＤ記録層とＤＶＤ記録層とを備えるハイブリッドディスクのＢＤ記録層に情報をＢＤフォーマットで記録しきれないときに、残りの情報をＢＤ９フォーマットでＤＶＤ記録層に記録し、一つの情報をハイブリッドディスクに記録できる容量を増やす。また、もう一例として、ＤＶＤ記録層に情報をＤＶＤフォーマットで記録しきれないときに、残りの情報をＤＶＤフォーマットでＢＤ記録層に記録する。【選択図】図４
2008090927.tif 000002
【特許請求の範囲】
【請求項１】
互いに規格の異なる第１の記録層と第２の記録層とを備える光ディスクに情報を記録する光ディスク装置であって、
前記第１の記録層の規格に対応する第１の記録形式で情報を前記光ディスクの第１の記録層に記録する第１の記録手段と、
前記第１の記録手段により情報を前記第１の記録層に記録しきれなかったとき、前記第１の記録形式で残りの情報を前記第２の記録層に記録する第２の記録手段と、を備える、
ことを特徴とする光ディスク装置。
【請求項２】
前記第１の記録手段により前記第１の記録層に記録された情報を再生する第１の再生手段と、
前記第１の記録手段により前記第１の記録層に記録しきれなかった情報が前記第２の記録手段により前記第２の記録層に記録されている場合、第１の再生手段による前記第１の記録層に記録された情報の再生に続いて、前記第２の記録手段により前記第２の記録層に記録された情報を再生する第２の再生手段と、を備える、
ことを特徴とする請求項１に記載の光ディスク装置。
【請求項３】
情報がそのままでは前記第１の記録層と前記第２の記録層とに記録しきれないとき、該情報を前記第１の記録層と前記第２の記録層とに記録しきれるように圧縮する圧縮手段を備え、
前記第１と第２の記録手段は、前記圧縮手段により圧縮された情報を記録する、
ことを特徴とする請求項１又は２に記載の光ディスク装置。
【請求項４】
互いに規格の異なる第１の記録層と第２の記録層とを備える光ディスクに情報を記録する光ディスク装置の記録方法であって、
前記第１の記録層の規格に対応する第１の記録形式で情報を前記光ディスクの第１の記録層に記録する第１の記録ステップと、
前記第１の記録ステップにより情報を前記第１の記録層に記録しきれなかったとき、前記第１の記録形式で残りの情報を前記第２の記録層に記録する第２の記録ステップと、を備える
ことを特徴とする光ディスク記録方法。
【請求項５】
情報がそのままでは前記第１の記録層と前記第２の記録層とに記録しきれないとき、該情報を前記第１の記録層と前記第２の記録層とに記録しきれるように圧縮する圧縮ステップを備え、
前記第１と第２の記録ステップは、前記圧縮ステップにより圧縮された情報を記録する、
ことを特徴とする請求項４に記載の光ディスク記録方法。
【請求項６】
コンピュータを、
互いに規格の異なる第１の記録層と第２の記録層とを備える光ディスクに情報を記録する光ディスク装置において、
前記第１の記録層の規格に対応する第１の記録形式で情報を前記光ディスクの第１の記録層に記録する第１の記録手段、
前記第１の記録ステップにより情報を前記第１の記録層に記録しきれなかったとき、前記第１の記録形式で残りの情報を前記第２の記録層に記録する第２の記録手段、
として機能させることを特徴とするプログラム。
【発明の詳細な説明】
【技術分野】
【０００１】
本発明は、異なる規格の複数の記録層を備える光ディスクに情報を記録する光ディスク装置、光ディスク記録方法、及び、プログラムに関する。
【背景技術】
【０００２】
現在、異なる規格の複数の記録層を備える光ディスク（以下、ハイブリッドディスク）が規格化されている。
【０００３】
例えば、ＢＤ（Blu-ray Disc）規格の記録層（以下、ＢＤ層）とＤＶＤ（Digital Versatile Disc）規格の記録層（以下、ＤＶＤ層）とを備えるハイブリッドディスク、ＢＤ規格の記録層とＤＶＤ規格の記録層とＣＤ（Compact Disc）規格の記録層（以下、ＣＤ層）とを備えるハイブリッドディスク等が規格化されている。（例えば、特許文献１）
【０００４】
従来の光ディスク装置は、これらのハイブリッドディスクの異なる規格の記録層ごとに別々のデータを記録している。
【０００５】
そのため、これらのハイブリッドディスクでは、それぞれの規格の記録層の容量以上のデータを、他の規格の記録層の容量が空いているにもかかわらず、記録することができなかった。
【特許文献１】特開２００１−１７６１２９号公報
【発明の開示】
【発明が解決しようとする課題】
【０００６】
本発明は、上記問題点に鑑みてなされたもので、ハイブリッドディスクにおける異なる規格の記録層の容量を効率的に使用することができる光ディスク装置を提供することを目的とする。
【課題を解決するための手段】
【０００７】
上記目的を達成するために、本発明の第１の観点に係る光ディスク装置は、
互いに規格の異なる第１の記録層と第２の記録層とを備える光ディスクに情報を記録する光ディスク装置であって、
前記第１の記録層の規格に対応する第１の記録形式で情報を前記光ディスクの第１の記録層に記録する第１の記録手段と、
前記第１の記録手段により情報を前記第１の記録層に記録しきれなかったとき、前記第１の記録形式で残りの情報を前記第２の記録層に記録する第２の記録手段と、を備える、
ことを特徴とする。
【０００８】
例えば、前記第１の記録手段により前記第１の記録層に記録された情報を再生する第１の再生手段と、
前記第１の記録手段により前記第１の記録層に記録しきれなかった情報が前記第２の記録手段により前記第２の記録層に記録されている場合、第１の再生手段による前記第１の記録層に記録された情報の再生に続いて、前記第２の記録手段により前記第２の記録層に記録された情報を再生する第２の再生手段と、を備えることを特徴としてもよい。
【０００９】
例えば、情報がそのままでは前記第１の記録層と前記第２の記録層とに記録しきれないとき、該情報を前記第１の記録層と前記第２の記録層とに記録しきれるように圧縮する圧縮手段を備え、
前記第１と第２の記録手段は、前記圧縮手段により圧縮された情報を記録する、
ことを特徴としてもよい。
【００１０】
本発明の第２の観点に係る光ディスク記録方法は、
互いに規格の異なる第１の記録層と第２の記録層とを備える光ディスクに情報を記録する光ディスク装置の記録方法であって、
前記第１の記録層の規格に対応する第１の記録形式で情報を前記光ディスクの第１の記録層に記録する第１の記録ステップと、
前記第１の記録ステップにより情報を前記第１の記録層に記録しきれなかったとき、前記第１の記録形式で残りの情報を前記第２の記録層に記録する第２の記録ステップと、を備える
ことを特徴とする。
【００１１】
例えば、情報がそのままでは前記第１の記録層と前記第２の記録層とに記録しきれないとき、該情報を前記第１の記録層と前記第２の記録層とに記録しきれるように圧縮する圧縮ステップを備え、
前記第１と第２の記録ステップは、前記圧縮ステップにより圧縮された情報を記録する、
ことを特徴としてもよい。
【００１２】
本発明の第３の観点に係るプログラムは、
コンピュータを、
互いに規格の異なる第１の記録層と第２の記録層とを備える光ディスクに情報を記録する光ディスク装置において、
前記第１の記録層の規格に対応する第１の記録形式で情報を前記光ディスクの第１の記録層に記録する第１の記録手段、
前記第１の記録ステップにより情報を前記第１の記録層に記録しきれなかったとき、前記第１の記録形式で残りの情報を前記第２の記録層に記録する第２の記録手段、
として機能させることを特徴とする。
【発明の効果】
【００１３】
本発明によれば、異なる規格の複数の記録層を備える光ディスクに対して情報を記録する光ディスク装置において、１つのデータを異なる規格の記録層に渡って連続して記録することができるため、光ディスクの記憶容量を有効に使うことができる。
【発明を実施するための最良の形態】
【００１４】
以下、本発明の実施形態に係る光ディスク装置１を説明する。図１に示すように、光ディスク装置１は、制御部２と、メカユニット部３と、信号処理部４と、サーボ処理部５と、ドライブ部６と、音声・映像入出力部７と、から構成される。
【００１５】
制御部２は、ＣＰＵ（Central Processing Unit）、ＲＯＭ（Read Only Memory）、ＲＡＭ（Random Access Memory）等から構成され、記憶している制御用プログラムを実行することにより光ディスク装置１全体の制御を行う。
具体的には、制御部２は、光ディスク１０がメカユニット部３に装填されたことを検知したら、光ディスク１０からリードイン情報を読み取り、光ディスク１０の種類、又は、記録容量を認識する。それから、制御部２は、ユーザからの命令を検知すると、光ディスク１０から情報を読み出すための制御、または、光ディスク１０に情報を書き込むための制御を行う。
また、制御部２は、データの圧縮用プログラムを格納しており、必要に応じてデータの圧縮処理を行う。
【００１６】
メカユニット部３は、スピンドルモータ３１、ピックアップ３２、スレッドモータ３３等から構成される。また、光ディスク１０は、メカユニット部３に装填される。
【００１７】
スピンドルモータ３１は、ドライブ部６からの信号に応じて、光ディスク１０を回転駆動させる。
【００１８】
ピックアップ３２は、情報の読み出し時に、光ディスク１０にレーザ光を照射し、その反射光を集光して電気信号に変換して、その信号を信号処理部４に出力する。
【００１９】
また、ピックアップ３２は、情報の書き込み時に、信号処理部４から供給された電気信号に応じて、書き込みに必要な強度のレーザ光を光ディスク１０に照射する。
【００２０】
スレッドモータ３３は、ピックアップ３２を光ディスク１０のディスク半径方向に移動させる。
【００２１】
信号処理部４は、情報の読み出し時に、ピックアップ３２から出力された電気信号をＲＦ（Radio Frequency）信号とＦＥ（Focus Error）信号とＴＥ（Tracking Error）信号とに分離する。それから、信号処理部４は、分離したＦＥ信号とＴＥ信号とをサーボ処理部５に出力する。また、信号処理部４は、制御部２の制御のもと、分離したＲＦ信号をデコードし、再生信号として音声・映像入出力部７に出力する。
【００２２】
信号処理部４は、情報の書き込み時に、制御部２から供給された電気信号をエンコードし、エンコードした電気信号をピックアップ３２に出力する。
【００２３】
サーボ処理部５は、制御部２の制御のもと、メカユニット部３の各部を駆動させる。サーボ処理部５は、スピンドルモータ３１をＣＡＶ（Constant Angular Velocity）方式またはＣＬＶ（Constant Linear Velocity）方式、またはそれらの組み合わせに従って駆動させる信号を生成し、その信号をドライブ部６に出力する。また、サーボ処理部５は、スレッドモータ３３と、ピックアップ３２のフォーカスアクチュエータとトラッキングアクチュエータとを制御する信号を生成し、その信号をドライブ部６に出力することによって、レーザ光のスポット位置を制御する。
【００２４】
ドライブ部６は、サーボ処理部５からの信号に従って、スピンドルモータ３１と、ピックアップ３２のフォーカスアクチュエータとトラッキングアクチュエータと、スレッドモータ３３と、を駆動させる。
【００２５】
音声・映像入出力部７は、光ディスク装置１が図示しないチューナや外部から供給された音声や映像などのデータを光ディスク１０に記録するためのデータの送受信を行う。音声・映像入出力部７は、外部装置２０と接続され、光ディスク装置１が光ディスク１０を再生し、生成したデータを外部装置２０に供給するためのデータの送受信を行う。
【００２６】
次に、図２に示す光ディスク１０を説明する。光ディスク１０は、異なる規格の複数の記録層を備えるハイブリッドディスクであり、ここでは、ＢＤ規格の記録層（ＢＤ層）とＤＶＤ規格の記録層（ＤＶＤ層）とを組み合わせたものであるとする。
【００２７】
光ディスク１０には、周方向に沿って内周から外周まで連続する複数のブロックが形成されている。図２に示すように、光ディスク１０は、リードインエリア１１と、データエリア１２と、リードアウトエリア１３と、から形成される。
【００２８】
光ディスク１０の内周側にはリードインエリア１１が形成されている。リードインエリア１１には、光ディスク１０の属性（ディスクメディアの種類）やその容量や光ディスク１０上のどのブロックまでデータが記録されているかなどの情報が記録されている。光ディスク１０上の記録位置などが更新されると、それに応じてリードインエリア１１上の情報が順次更新される。
【００２９】
データエリア１２にはデータが周方向に沿って順番に記録される。
【００３０】
リードアウトエリア１３は、データエリア１２に連続して形成されており、その位置でデータエリア１２の終わりを表している。
【００３１】
次に本発明の実施形態に係る動作について図３，４を参照しながら説明する。
【００３２】
始めに、光ディスク装置１が行うディスク判別処理について説明する。光ディスク装置１は、光ディスク１０が装填されると、光ディスク１０の属性、及び、その容量、記録状態などを判別する。以下、図３に示すディスク判別処理のフローチャートを説明する。
【００３３】
先ず、メカユニット部３に光ディスク１０が装填されたことを制御部２が検知すると、制御部２は、光ディスク１０のリードインエリア１１のデータを読み取る（ステップＳ１０１）。
【００３４】
続いて、読み取ったデータを解析してディスクメディアの種類を判別する（ステップＳ１０２）。
【００３５】
続いて、読み取ったデータを解析して各記録層の記録可能容量を判別して（ステップＳ１０３）、処理を終了する。
【００３６】
このようにして、光ディスク装置１は、光ディスク１０を装填されると、光ディスク１０の状態を認識し、ユーザの命令に備える。
【００３７】
次に、光ディスク装置１が行う第１ディスク記録処理について説明する。光ディスク装置１は、記録する情報の容量に応じて、光ディスク１０の各記録層に記録する。
【００３８】
光ディスク装置１は、容量の分からない情報を始めに光ディスク１０のＢＤ層にＢＤフォーマットで記録し、ＢＤ層に記録しきれないときは、残りの情報をＤＶＤ層にＢＤフォーマット（ＢＤ９）で記録する。また、光ディスク装置１は、容量の分からない情報を始めに光ディスク１０のＤＶＤ層にＤＶＤフォーマットで記録し、ＤＶＤ層に記録しきれないときは、残りの情報をＢＤ層にＤＶＤフォーマットで記録する。
【００３９】
ここで、ＢＤ９を説明する。ＢＤ９とは、ＢＤフォーマットの一種であり、通常のＤＶＤ媒体にＨＤ映像を記録するためのフォーマットである。ＢＤ９を用いれば、ＢＤフォーマットでＤＶＤ層に記録することができる。ディスク記録処理では、ＢＤ９を使用する。
【００４０】
また、ＤＶＤ層にＤＶＤフォーマットで記録するときには、ＤＶＤ−Ｖｉｄｅｏ／Ａｕｄｉｏ／ＶＲ等のフォーマットの一つを使用する。
【００４１】
以下、図４に示す第１ディスク記録処理のフローチャートを説明する。
【００４２】
先ず、制御部２は、外部装置２０から容量の分からない情報を光ディスク１０に記録するように入力されると、ユーザがＢＤ層への記録を選択しているか否か、またはＢＤフォーマットでの記録を選択しているか否かを判別する（ステップＳ２０１）。
【００４３】
ステップＳ２０１において、ＢＤ層への記録を選択している、又は、ＢＤフォーマットでの記録を選択していると判別すると（Ｓ２０１；Ｙｅｓ）、制御部２は、情報をＢＤ層にＢＤフォーマットで記録する（ステップＳ２０２）。
【００４４】
次に、制御部２は、情報をＢＤ層の空き容量内で記録できたか否かを判別する（ステップＳ２０３）。
【００４５】
ステップＳ２０３において、情報をＢＤ層の空き容量内で記録できたと判別すると（Ｓ２０３；Ｙｅｓ）、ディスク記録処理を終了する。
【００４６】
ステップＳ２０３において、情報をＢＤ層の空き容量内で記録できなかったと判別すると（Ｓ２０３；Ｎｏ）、制御部２は、残りの情報をＤＶＤ層にＢＤフォーマット（ＢＤ９）で記録し（ステップＳ２０４）、ディスク記録処理を終了する。
【００４７】
ステップＳ２０１において、ＢＤ層への記録を選択していない、または、ＢＤフォーマットでの記録を選択していないと判別すると（Ｓ２０１；Ｎｏ）、制御部２は、情報をＤＶＤ層にＤＶＤフォーマットで記録する（ステップＳ２０５）。
【００４８】
次に、制御部２は、情報をＤＶＤ層の空き容量内で記録できたか否かを判別する（ステップＳ２０６）。
【００４９】
ステップＳ２０６において、情報をＤＶＤ層の空き容量内で記録できたと判別すると（Ｓ２０６；Ｙｅｓ）、ディスク記録処理を終了する。
【００５０】
ステップＳ２０６において、情報をＤＶＤ層の空き容量内で記録できなかったと判別すると（Ｓ２０６；Ｎｏ）、制御部２は、残りの情報をＢＤ層にＤＶＤフォーマットで記録し（ステップＳ２０７）、ディスク記録処理を終了する。
【００５１】
このように、第１ディスク処理では、容量の分からない情報をハイブリッドディスクの各記録層に順次記録することができる。
【００５２】
次に、第１ディスク記録処理では、光ディスク装置が、容量の分からない情報をハイブリッドディスクに記録したが、第２ディスク記録処理では、光ディスク装置が、容量の分かっている情報をハイブリッドディスクに記録する。この場合、ディスクの容量以上の情報は圧縮してディスクに記録することができる。
【００５３】
以下、図５に示す第２ディスク記録処理を説明する。
【００５４】
先ず、制御部２は、外部装置２０から容量の分かっている情報を光ディスク１０に記録するように入力されると、その情報がＤＶＤ層の容量以内であるか否かを判別する（ステップＳ３０１）。
【００５５】
情報がＤＶＤ層の容量以内であると判別した場合は（Ｓ３０１；Ｙｅｓ）、制御部２は、情報をＤＶＤ層に記録して（ステップＳ３０８）、第２記録処理を終了する。
【００５６】
情報がＤＶＤ層の容量以内ではないと判別した場合は（Ｓ３０１；Ｎｏ）、制御部２は、続いて、情報がＢＤ層の容量以内であるか否かを判別する（ステップＳ３０２）。
【００５７】
情報がＢＤ層の容量以内であると判別した場合は（Ｓ３０２；Ｙｅｓ）、制御部２は、情報をＢＤ層に記録して（ステップＳ３０７）、第２ディスク記録処理を終了する。
【００５８】
情報がＢＤ層の容量以内ではないと判別した場合は（Ｓ３０２；Ｎｏ）、制御部２は、情報がＢＤ層とＤＶＤ層との容量を足した容量以内であるか否かを判別する（ステップＳ３０３）。
【００５９】
情報がＢＤ層とＤＶＤ層との容量を足した容量以内であると判別した場合（Ｓ３０３；Ｙｅｓ）、制御部２は、情報をＢＤ層にＢＤフォーマットでＤＶＤ層にＢＤフォーマット（ＢＤ９）で記録して（ステップＳ３０６）、第２ディスク記録処理を終了する。
【００６０】
情報がＢＤ層とＤＶＤ層との容量を足した容量以内でないと判別した場合（Ｓ３０３；Ｎｏ）、制御部２は、ＢＤ層とＤＶＤ層との容量を足した容量以内になるように情報を圧縮する（ステップＳ３０４）。
【００６１】
制御部２は、圧縮した情報をＢＤ層にＢＤフォーマットでＤＶＤ層にＢＤフォーマット（ＢＤ９）で記録して（ステップＳ３０５）、第２ディスク記録処理を終了する。
【００６２】
このように第２ディスク記録処理によって、容量の分かっている情報をハイブリッドディスクの各記録層へ記録することができる。
【００６３】
以上説明したように、本発明の実施形態に係る光ディスク装置１は、ハイブリッドディスクに対して、１つのデータを複数の規格の記録層に渡って記録できるため、その容量を効率的に使用することができる。
【００６４】
なお、この発明は上記実施形態に限定されず、種々の変形及び応用が可能である。
【００６５】
上記実施形態では、光ディスク１０にＢＤ記録層とＤＶＤ記録層とを備えるハイブリッドディスクを適用したが、さらにＣＤ記録層を備えるハイブリッドディスクやＢＤ記録層とＣＤ記録層とからなるハイブリッドディスクやＤＶＤ記録層とＣＤ記録層とからなるハイブリッドディスク等へ適用してもよい。
【００６６】
また、上記実施形態の応用例として、光ディスク１０にＢＤ記録層とＤＶＤ記録層とＣＤ記録層とを備えるハイブリッドディスクを適用する場合が挙げられる。この場合、ＢＤ層とＤＶＤ層とに記録しきれない情報の残りの情報をＣＤ層に記録するようにする。
【図面の簡単な説明】
【００６７】
【図１】本発明の実施形態に係る光ディスク装置の構成を示す図である。
【図２】光ディスクの構成を示す図である。
【図３】ディスク判別処理を説明するためのフローチャートである。
【図４】第１ディスク記録処理を説明するためのフローチャートである。
【図５】第２ディスク記録処理を説明するためのフローチャートである。
【符号の説明】
【００６８】
１      光ディスク装置
２      制御部
３      メカユニット部
３１    スピンドルモータ
３２    ピックアップ
３３    スレッドモータ
４      信号処理部
５      サーボ処理部
６      ドライブ部
７      音声・映像入出力部
１０    光ディスク
１１    リードインエリア
１２    データエリア
１３    リードアウトエリア
２０    外部装置
【図１】
2008090927.tif 000003
【図２】
2008090927.tif 000004
【図３】
2008090927.tif 000005
【図４】
2008090927.tif 000006
【図５】
2008090927.tif 000007